(57)【要約】【課題】カバー部材を筐体から取り外すための構造を簡略化することができ、かつ、カバー部材を筐体から容易に取り外すことが可能な投写型映像表示装置を提供する。【解決手段】投写型映像表示装置は、開口部を有する筐体と、開口部を閉鎖するランプカバー５０とを備える。ランプカバー５０には、棒差込孔５２Ａと、棒差込孔５２Ａに棒６０が差し込まれたときに差込方向Ｔに垂直な方向において棒６０と対向する対向壁部５５Ａ，５５Ｂと、対向壁部５５Ａ，５５Ｂを貫通する貫通部５６Ａ，５６Ｂとが設けられる。また、筐体には、貫通部５６Ａ，５６Ｂに引っ掛かる係止部４０Ａ，４０Ｂが設けられる。係止部４０Ａ，４０Ｂは、棒差込孔５２Ａに棒６０が差し込まれていないときに貫通部５６Ａ，５６Ｂに引っ掛かり、棒６０が差し込まれたときに棒６０に押されることにより貫通部５６Ａ，５６Ｂに引っ掛からない位置に移動してランプカバー５０の移動を許容する。【選択図】図１３
2013134362.tif 000002
【特許請求の範囲】
【請求項１】
開口部を有する筐体と、前記開口部を閉鎖するカバー部材とを備える投写型映像表示装置において、
前記カバー部材には、所定の差込方向に棒が差し込まれる棒差込孔と、前記棒差込孔に棒が差し込まれたときに前記差込方向に垂直な方向において棒と対向する対向壁部と、前記対向壁部を前記差込方向に垂直な方向に貫通する貫通部とが設けられ、
前記筐体には、前記カバー部材により前記開口部が閉鎖された状態において前記貫通部に引っ掛かる係止部が設けられ、
前記係止部は、前記棒差込孔に棒が差し込まれていないときに、前記貫通部に引っ掛かって前記筐体に対する前記カバー部材の移動を規制し、
さらに、前記係止部は、前記棒差込孔に棒が差し込まれたときに、前記棒差込孔に差し込まれた棒に押されることにより前記貫通部に引っ掛からない位置に移動して前記筐体に対する前記カバー部材の移動を許容する
ことを特徴とする投写型映像表示装置。
【請求項２】
前記係止部は、前記貫通部に引っ掛かる鉤部と、前記筐体と前記鉤部とを接続する可撓部とを有し、
前記可撓部が撓むことにより、前記鉤部が、前記貫通部に引っ掛かる位置から前記貫通部に引っ掛からない位置に移動する
ことを特徴とする請求項１に記載の投写型映像表示装置。
【請求項３】
前記係止部は、前記鉤部が前記貫通部に引っ掛かった状態において前記棒差込孔に棒が差し込まれたときに、前記棒差込孔に差し込まれた棒により押される先端面を有し、
前記棒差込孔に棒を差し込むときに、前記先端面は、前記差込方向に対して傾斜した状態で棒と対向する
ことを特徴とする請求項２に記載の投写型映像表示装置。
【請求項４】
前記対向壁部は、前記カバー部材が前記開口部を閉鎖するときに、前記可撓部が撓むように前記先端面を押し、
前記カバー部材が前記開口部を閉鎖するときに、前記カバー部材が前記筐体に対して動く方向を「カバー動作方向」としたとき、前記先端面は、カバー動作方向に対して傾斜した状態で前記対向壁部と対向する
ことを特徴とする請求項３に記載の投写型映像表示装置。
【請求項５】
前記カバー部材には、前記対向壁部として、前記棒差込孔に棒が差し込まれたときに前記差込方向に垂直な方向において棒を挟む第１対向壁部および第２対向壁部が設けられ、
さらに、前記カバー部材には、前記貫通部として、前記第１対向壁部を貫通する第１貫通部と、前記第２対向壁部を貫通する第２貫通部とが設けられ、
前記筐体には、前記係止部として、前記第１貫通部に引っ掛かる第１係止部と、前記第２貫通部に引っ掛かる第２係止部とが設けられている
ことを特徴とする請求項１〜４のいずれか一項に記載の投写型映像表示装置。
【発明の詳細な説明】
【技術分野】
【０００１】
本発明は、開口部を有する筐体と、開口部を閉鎖するカバー部材とを備える投写型映像表示装置に関する。
【背景技術】
【０００２】
一般的に、液晶プロジェクタ等の投写型映像表示装置は、開口部を有する筐体と、開口部を閉鎖するカバー部材としてランプカバー等を備えている（特許文献１参照）。
特許文献１には、筐体としてのケースに着脱可能に設けられるスライド式のランプカバーと、ランプカバーをスライド方向に沿ってケース外側に付勢する付勢手段と、ケースにランプカバーを固定する係合構造とを備えたプロジェクタが記載されている。特許文献１のプロジェクタにおいてランプカバーをケースから取り外す場合には、細棒状部材をランプカバーとケースとの間に差し込んで、棒である細棒状部材で留め具を押圧してランプカバーとケースとの係合状態を解除することにより、ランプカバーをケースから取り外すことが可能となる。
【先行技術文献】
【特許文献】
【０００３】
【特許文献１】特開２００３−４３５８４号公報
【発明の概要】
【発明が解決しようとする課題】
【０００４】
しかし、特許文献１のプロジェクタは、ランプカバーをケースにねじ止めする構造は不要になるものの、棒がランプカバーとケースとの間に差し込まれたときに、ランプカバーをスライドさせる付勢手段が必要である。このため、カバー部材を筐体から取り外すための構造が複雑になるという問題がある。
【０００５】
また、特許文献１の付勢手段を省いた場合には、ランプカバーをケースから取り外すための構造が簡略化されるものの、ランプカバーの移動が棒の操作と連動しない。このため、ランプカバーをケースから取り外す作業者は、例えば、片手を用いてランプカバーとケースとの間に棒を差し込み、他方の片手を用いてランプカバーをスライドさせる必要がある。従って、カバー部材を筐体から容易に取り外すことができない。
【０００６】
本発明は、上記課題を解決するため、カバー部材を筐体から取り外すための構造を簡略化することができ、かつ、カバー部材を筐体から容易に取り外すことが可能な投写型映像表示装置を提供することを目的とする。
【課題を解決するための手段】
【０００７】
上記目的を達成するため、請求項１に記載の発明は、開口部を有する筐体と、前記開口部を閉鎖するカバー部材とを備える投写型映像表示装置において、前記カバー部材には、所定の差込方向に棒が差し込まれる棒差込孔と、前記棒差込孔に棒が差し込まれたときに前記差込方向に垂直な方向において棒と対向する対向壁部と、前記対向壁部を前記差込方向に垂直な方向に貫通する貫通部とが設けられ、前記筐体には、前記カバー部材により前記開口部が閉鎖された状態において前記貫通部に引っ掛かる係止部が設けられ、前記係止部は、前記棒差込孔に棒が差し込まれていないときに、前記貫通部に引っ掛かって前記筐体に対する前記カバー部材の移動を規制し、さらに、前記係止部は、前記棒差込孔に棒が差し込まれたときに、前記棒差込孔に差し込まれた棒に押されることにより前記貫通部に引っ掛からない位置に移動して前記筐体に対する前記カバー部材の移動を許容することを特徴とする。
【０００８】
上記発明によれば、筐体の係止部がカバー部材の貫通部に引っ掛かることにより、筐体に対するカバー部材の移動が規制されるため、カバー部材を筐体にねじ止めする構造を設けずに、筐体にカバー部材を固定することができる。そして、カバー部材の棒差込孔に棒を差し込むことにより、係止部が貫通部に引っ掛からない位置に移動して、筐体に対するカバー部材の移動が許容される。従って、カバー部材を筐体から取り外す作業者は、カバー部材の棒差込孔に棒を差し込んで、その棒を移動させることによりカバー部材を筐体から取り外すことができる。よって、カバー部材を筐体から取り外すための構造を簡略化することができ、かつ、カバー部材を筐体から容易に取り外すことが可能である。
【０００９】
請求項２に記載の発明は、請求項１に記載の投写型映像表示装置において、前記係止部は、前記貫通部に引っ掛かる鉤部と、前記筐体と前記鉤部とを接続する可撓部とを有し、前記可撓部が撓むことにより、前記鉤部が、前記貫通部に引っ掛かる位置から前記貫通部に引っ掛からない位置に移動することを特徴とする。
【００１０】
上記発明によれば、係止部の可撓部が撓むように係止部を押すことにより、係止部の鉤部を、カバー部材の貫通部に引っ掛かる位置から貫通部に引っ掛からない位置に移動させることができる。また、可撓部の弾性により、係止部の鉤部が、カバー部材の貫通部に引っ掛からない位置から貫通部に引っ掛かる位置に移動する。
【００１１】
請求項３に記載の発明は、請求項２に記載の投写型映像表示装置において、前記係止部は、前記鉤部が前記貫通部に引っ掛かった状態において前記棒差込孔に棒が差し込まれたときに、前記棒差込孔に差し込まれた棒により押される先端面を有し、前記棒差込孔に棒を差し込むときに、前記先端面は、前記差込方向に対して傾斜した状態で棒と対向することを特徴とする。
【００１２】
上記発明によれば、カバー部材の棒差込孔に棒を差し込むときに、係止部の先端面に沿って棒を移動させることができるため、係止部の先端面を棒で押して係止部の可撓部を徐々に撓ませることができる。
【００１３】
請求項４に記載の発明は、請求項３に記載の投写型映像表示装置において、前記対向壁部は、前記カバー部材が前記開口部を閉鎖するときに、前記可撓部が撓むように前記先端面を押し、前記カバー部材が前記開口部を閉鎖するときに、前記カバー部材が前記筐体に対して動く方向を「カバー動作方向」としたとき、前記先端面は、カバー動作方向に対して傾斜した状態で前記対向壁部と対向することを特徴とする。
【００１４】
上記発明によれば、カバー部材が筐体の開口部を閉鎖するときに、係止部の先端面に沿って対向壁部を移動させることができるため、係止部の先端面をカバー部材の対向壁部で押して係止部の可撓部を徐々に撓ませることができる。
【００１５】
請求項５に記載の発明は、請求項１〜４のいずれか一項に記載の投写型映像表示装置において、前記カバー部材には、前記対向壁部として、前記棒差込孔に棒が差し込まれたときに前記差込方向に垂直な方向において棒を挟む第１対向壁部および第２対向壁部が設けられ、さらに、前記カバー部材には、前記貫通部として、前記第１対向壁部を貫通する第１貫通部と、前記第２対向壁部を貫通する第２貫通部とが設けられ、前記筐体には、前記係止部として、前記第１貫通部に引っ掛かる第１係止部と、前記第２貫通部に引っ掛かる第２係止部とが設けられていることを特徴とする。
【００１６】
上記発明によれば、筐体の第１係止部がカバー部材の第１貫通部に引っ掛かるとともに、筐体の第２係止部がカバー部材の第２貫通部に引っ掛かることにより、筐体にカバー部材を強固に固定することができる。
【発明の効果】
【００１７】
本発明によれば、カバー部材を筐体から取り外すための構造を簡略化することができ、かつ、カバー部材を筐体から容易に取り外すことが可能となる。
【図面の簡単な説明】
【００１８】
【図１】本発明の一実施形態に係る投写型映像表示装置の外観図であって、（ａ）は斜視図、（ｂ）は側面図、（ｃ）は平面図。
【図２】同実施形態の投写型映像表示装置について、筐体の開口部を示す斜視図。
【図３】同実施形態の投写型映像表示装置について、筐体に設けられた係止部を示す図であって、図１（ｃ）のＡ−Ａ線に沿った筐体の断面図。
【図４】同実施形態の投写型映像表示装置について、図３の係止部を側方から見た筐体の断面図。
【図５】同実施形態の投写型映像表示装置について、図３の係止部を上方から見た筐体の断面図。
【図６】（ａ）（ｂ）同実施形態に係る投写型映像表示装置について、カバー部材の外観図。
【図７】同実施形態の投写型映像表示装置について、カバー部材に設けられた対向壁部及び貫通部を示す図であって、カバー部材を裏方向から見た斜視図。
【図８】同実施形態の投写型映像表示装置について、図６（ａ）のＢ−Ｂ線に沿ったカバー部材の断面図。
【図９】同実施形態の投写型映像表示装置について、図６（ｂ）のＣ−Ｃ線またはＤ−Ｄ線に沿ったカバー部材の断面図。
【図１０】同実施形態の投写型映像表示装置について、図６（ｂ）のＥ−Ｅ線に沿ったカバー部材の断面図。
【図１１】同実施形態の投写型映像表示装置について、（ａ）は筐体にカバー部材を取り付けるときのカバー部材の動きを示す斜視図、（ｂ）は筐体からカバー部材を取り外すときのカバー部材の動きを示す斜視図。
【図１２】（ａ）〜（ｃ）同実施形態の投写型映像表示装置について、筐体にカバー部材を取り付けるときにおいて貫通部に係止部が引っ掛かる過程を示す断面図。
【図１３】（ａ）〜（ｃ）同実施形態の投写型映像表示装置について、筐体からカバー部材を取り外すときにおいて係止部が貫通部に引っ掛からない位置に移動する過程を示す断面図。
【発明を実施するための形態】
【００１９】
以下、本発明の一実施形態について図面を参照しながら説明する。
図１（ａ）に示すように、投写型映像表示装置であるプロジェクタ１は、外部機器（不図示）から入力される映像信号に基づいて映像を表示するビデオプロジェクタである。
【００２０】
プロジェクタ１は、映像の光を投射することにより、スクリーンまたは壁等の平面に映像を表示する。以下、プロジェクタ１が投射レンズ２２で映像の光を投射する方向を前方とする。また、前方の反対側の方向を後方とする。また、前方及び後方を含む前後方向に垂直な方向を上下方向とする。また、図中の矢印Ｓは、前後方向及び上下方向に直交する方向である側方Ｓを示している。なお、上下方向は鉛直方向に限定されない。
【００２１】
プロジェクタ１は、映像表示用の光学部品及び電子部品を収納する筐体１０を備える。また、プロジェクタ１は、映像表示用の光学部品として、光源であるランプ２１と、ランプ２１が発した光を用いて映像を生成する液晶パネル（図示略）と、映像の光を投射する投射レンズ２２とを備える。
【００２２】
筐体１０は、プロジェクタ１の前面を構成する前面部１１と、側方Ｓに向けて設けられる側面部１２と、プロジェクタ１の上面を構成する上面部１３とを有する。前面部１１には、映像の光を投射するための開口部１０Ａが形成されている。上面部１３には、ランプ２１を交換するための開口部１０Ｂが形成されている。開口部１０Ｂは、上面部１３に隣接する側面部１２まで連続して形成されている。
【００２３】
開口部１０Ａは、筐体１０を前後方向に貫通している。プロジェクタ１は、液晶パネルを用いて筐体１０の内部において映像を生成するとともに、投射レンズ２２を用いて開口部１０Ａから映像の光を筐体１０の外部に向けて投射する。
【００２４】
開口部１０Ｂは、筐体１０の内部を開放する。ランプ２１が発光不可能となったときには、筐体１０の内部のランプ２１を、開口部１０Ｂを通して筐体１０の外部に取り出すことが可能である。即ち、発光不可能なランプ２１と発光可能な他のランプ２１とを交換することが可能である。
【００２５】
プロジェクタ１は、筐体１０が有する開口部１０Ｂを閉鎖するカバー部材としてランプカバー５０を備える。ランプカバー５０は、筐体１０に対して着脱可能に設けられる。図１（ｂ）に示すように、ランプカバー５０は、開口部１０Ｂの大部分を覆うカバー部５１と、棒差込孔５２Ａが形成された棒差込部５２とを有する。カバー部５１は、筐体１０の内部を上方から覆い、棒差込部５２は、筐体１０の内部を側方Ｓから覆う。
【００２６】
図１（ｂ）は、図１（ａ）のプロジェクタ１を側方Ｓから見た状態を示している。
図１（ｂ）に示すように、開口部１０Ｂに嵌められて筐体１０にランプカバー５０が取り付けられたとき、筐体１０の外部において、筐体１０の上面部１３とランプカバー５０のカバー部５１とが同一面上に位置する。
【００２７】
図１（ｃ）は、図１（ａ）のプロジェクタ１を上方から見た状態を示している。
図１（ｃ）に示すように、筐体１０に取り付けられたランプカバー５０が取り付けられたとき、筐体１０の外部において、筐体１０の側面部１２とランプカバー５０の棒差込部５２とが同一面上に位置する。
【００２８】
図２は、筐体１０のみを示している。
図２に示すように、筐体１０には、ランプカバー５０を筐体１０に固定するための構造として、係止壁部３１と、支持片３２Ａ，３２Ｂと、係止部４０Ａ，４０Ｂとが設けられている。
【００２９】
係止壁部３１は、筐体１０の内部側表面により構成される。本実施形態の係止壁部３１は、上面部１３により構成される。係止壁部３１は、筐体１０に取り付けられたランプカバー５０の係止片５３（図６（ｂ）参照）に引っ掛かることにより、筐体１０に対する上方へのランプカバー５０の移動を規制する。
【００３０】
支持片３２Ａ，３２Ｂは、開口部１０Ｂの周縁の一部に設けられている。支持片３２Ａ，３２Ｂは筐体１０と同一の樹脂材料により筐体１０と一体的に形成されている。支持片３２Ａ，３２Ｂは、側方Ｓに延びている。支持片３２Ａ，３２Ｂは、筐体１０に取り付けられたランプカバー５０のカバー部５１（図６（ｂ）参照）を下方から支持することにより、筐体１０に対する下方へのランプカバー５０の移動を規制する。
【００３１】
係止部４０Ａ，４０Ｂは、筐体１０の内部において、筐体１０における側方Ｓ側の端部に設けられている。係止部４０Ａ，４０Ｂは、筐体１０と同一の樹脂材料により筐体１０と一体的に形成されている。係止部４０Ａ，４０Ｂは、筐体１０に取り付けられたランプカバー５０の係止壁部５４（図７参照）に引っ掛かることにより、筐体１０に対する上下方向及び前後方向へのランプカバー５０の移動を規制する。
【００３２】
図３〜５を参照して、係止部４０Ａ，４０Ｂの構造について説明する。図３は、図１（ｃ）のＡ−Ａ線に沿った筐体１０の断面構造を示す図であって、係止部４０Ａ，４０Ｂの斜視図である。
【００３３】
図３に示すように、係止部４０Ａは、上下方向に延びる可撓部４１Ａと、可撓部４１Ａの上端に設けられた鉤部４２Ａとを有する。同様に、係止部４０Ｂは、上下方向に延びる可撓部４１Ｂと、可撓部４１Ｂの上端に設けられた鉤部４２Ｂとを有する。係止部４０Ａと係止部４０Ｂとは、側方Ｓに対して垂直な方向である前後方向において、互いに間隔を空けて対向して設けられている。また、係止部４０Ａは、鉤部４２Ａの端面を形成する先端面４３Ａを有する。同様に、係止部４０Ｂは、鉤部４２Ｂの端面を形成する先端面４３Ｂを有する。
【００３４】
可撓部４１Ａ，４１Ｂは、筐体１０の内部において筐体１０から上方に向けて直線状に延びている。可撓部４１Ａは、筐体１０と鉤部４２Ａとを接続する。同様に、可撓部４１Ｂは、筐体１０と鉤部４２Ｂとを接続する。弾性を有する可撓部４１Ａ，４１Ｂは、前後方向において撓む。筐体１０に対して可撓部４１Ａが撓むことにより、鉤部４２Ａは前後方向において変位する。また、筐体１０に対して可撓部４１Ｂが撓むことにより、鉤部４２Ｂは前後方向において変位する。
【００３５】
鉤部４２Ａ，４２Ｂは、ランプカバー５０の係止壁部５４（図７参照）に引っ掛かる。係止部４０Ａの鉤部４２Ａと係止部４０Ｂの鉤部４２Ｂとは、前後方向において先端面４３Ａ，４３Ｂが互いに対向するように設けられている。鉤部４２Ａは、係止壁部５４に設けられた貫通部５６Ａ（図７参照）に引っ掛かる。また、鉤部４２Ｂは、係止壁部５４に設けられた貫通部５６Ｂ（図７参照）に引っ掛かる。
【００３６】
図４に示すように、先端面４３Ａ，４３Ｂは、上方に向けて設けられ、かつ、上下方向に対して傾斜している。従って、図３の側方Ｓから見て、互いに向かい合う先端面４３Ａ，４３Ｂの間隔は、上方に向かうにつれて大きくなる。
【００３７】
また、図５に示すように、先端面４３Ａ，４３Ｂは、側方Ｓに向けて設けられ、かつ、側方Ｓに対して傾斜している。従って、図４の上方から見て、互いに向かい合う先端面４３Ａ，４３Ｂの間隔は、側方Ｓに向かうにつれて大きくなる。
【００３８】
図６は、ランプカバー５０のみを示している。以下、筐体１０にランプカバー５０が取り付けられたときにおいて、筐体１０の上方に一致する方向をランプカバー５０の表方向とし、筐体１０の下方に一致する方向をランプカバー５０の裏方向とする。また、筐体１０にランプカバー５０が取り付けられたときにおいて、筐体１０の前後方向に一致する方向を幅方向とする。また、図中の矢印Ｔは、表方向及び裏方向及び幅方向に直交する方向である差込方向Ｔを示している。
【００３９】
図６（ａ）は、図１の側方Ｓからランプカバー５０を見た状態を示している。
図６（ａ）に示すように、ランプカバー５０の棒差込部５２には、円柱状の棒６０（図１１（ｂ）参照）が差込可能な棒差込孔５２Ａが形成されている。幅方向における棒差込孔５２Ａの寸法は、棒６０の径と略同じである。
【００４０】
図６（ｂ）は、図６（ａ）の表方向からランプカバー５０を見た状態を示している。
図６（ｂ）に示すように、板状のランプカバー５０には、筐体１０にランプカバー５０を固定するための構造として、係止片５３と、係止壁部５４とが設けられている。係止片５３及び係止壁部５４は、ランプカバー５０と同一の樹脂材料によりランプカバー５０と一体的に形成されている。
【００４１】
係止片５３は、ランプカバー５０の差込方向Ｔ側の端部を構成する。係止片５３は、カバー部５１に対して段差をもって形成されている。即ち、係止片５３は、カバー部５１に対してランプカバー５０の裏方向に窪んでいる。筐体１０（図２参照）に対してランプカバー５０を着脱するときに、係止片５３が筐体１０と接触し続けることにより、筐体１０に対してランプカバー５０が回動する。即ち、係止片５３と筐体１０との接触部分が、筐体１０に対するランプカバー５０の回転動作の中心となる。
【００４２】
係止壁部５４は、ランプカバー５０における差込方向Ｔの反対側の端部であって、カバー部５１におけるランプカバー５０の裏方向側の表面に形成されている。図７は、図６（ａ）の裏方向からランプカバー５０を見た状態を示している。
【００４３】
図７に示すように、係止壁部５４には、係止部４０Ａの鉤部４２Ａ（図３参照）が引っ掛かる貫通部５６Ａと、係止部４０Ｂの鉤部４２Ｂ（図３参照）が引っ掛かる貫通部５６Ｂとが形成されている。
【００４４】
図８〜１０を参照して、係止壁部５４の構造についてより詳しく説明する。図８は、図６（ａ）のＢ−Ｂ線に沿ったランプカバー５０の断面構造を示す図である。図９は、図６（ｂ）のＣ−Ｃ線に沿ったランプカバー５０の断面構造を示す図であって、図６（ｂ）のＤ−Ｄ線に沿ったランプカバー５０の断面構造を示す図でもある。図１０は、図６（ｂ）のＥ−Ｅ線に沿ったランプカバー５０の断面構造を示す図である。
【００４５】
図８に示すように、係止壁部５４は、差込方向Ｔにおいて延びる対向壁部５５Ａ，５５Ｂと、対向壁部５５Ａに設けられた貫通部５６Ａと、対向壁部５５Ｂに設けられた貫通部５６Ｂと、対向壁部５５Ａと対向壁部５５Ｂとを接続する対向壁部５５Ｃと、深奥壁部５７とを有する。
【００４６】
対向壁部５５Ａと対向壁部５５Ｂとは、差込方向Ｔに対して垂直な方向である幅方向において、互いに間隔を空けて対向して設けられている。また、図９に示すように、対向壁部５５Ａと対向壁部５５Ｂとは、ランプカバー５０のカバー部５１の裏方向側の表面から突出して形成されるとともに、対向壁部５５Ｃにより接続されている。対向壁部５５Ｃは、ランプカバー５０の裏方向に向けて湾曲した形状で突出している。カバー部５１及び対向壁部５５Ａ〜５５Ｃは、係止壁部５４の内部空間５４Ａを形成する。係止壁部５４の内部空間５４Ａは棒差込孔５２Ａに連続している。対向壁部５５Ａ〜５５Ｃは、棒差込孔５２Ａから差込方向Ｔに棒６０（図１１（ｂ）参照）が差し込まれたときに、差込方向Ｔに垂直な方向において棒６０と対向する。従って、棒差込孔５２Ａに棒６０が差し込まれたとき、対向壁部５５Ａ，５５Ｂは棒６０を幅方向において挟む。
【００４７】
貫通部５６Ａは、差込方向Ｔにおいて対向壁部５５Ａの中央部に形成されている。同様に、貫通部５６Ｂは、差込方向Ｔにおいて対向壁部５５Ｂの中央部に形成されている。貫通部５６Ａは、対向壁部５５Ａを差込方向Ｔに垂直な方向に貫通する。同様に、貫通部５６Ｂは、対向壁部５５Ｂを差込方向Ｔに垂直な方向に貫通する。また、図１０に示すように、貫通部５６Ａ，５６Ｂは、幅方向に垂直な方向において係止壁部５４に切り込まれている。
【００４８】
深奥壁部５７は、対向壁部５５Ａの差込方向Ｔ側の端部と対向壁部５５Ｂの差込方向Ｔ側の端部とを接続する。棒差込孔５２Ａから差込方向Ｔに棒６０（図１１（ｂ）参照）が差し込まれたときに、深奥壁部５７は、ランプカバー５０に対する差込方向Ｔへの棒６０の動きを規制する。
【００４９】
図１１を参照して、筐体１０にランプカバー５０を取り付けるときのランプカバー５０の動きと、筐体１０からランプカバー５０を取り外すときのランプカバー５０の動きとを説明する。
【００５０】
図１１（ａ）に示すように、筐体１０にランプカバー５０を取り付けるときには、筐体１０の係止壁部３１にランプカバー５０の係止片５３を接触させ、係止部４０Ａ，４０Ｂに対して棒差込孔５２Ａが側方Ｓに位置するように、ランプカバー５０を下方に移動させる。こうしてランプカバー５０が筐体１０の開口部１０Ｂを閉鎖するとき、筐体１０の係止部４０Ａ，４０Ｂが、ランプカバー５０の係止壁部５４に引っ掛かって、筐体１０に対してランプカバー５０が固定され、筐体１０にランプカバー５０が取り付けられる。
【００５１】
図１１（ｂ）に示すように、筐体１０からランプカバー５０を取り外すときには、ランプカバー５０の棒差込孔５２Ａに、所定の径を有するドライバー等の棒６０を差し込む。このとき、筐体１０の係止部４０Ａ，４０Ｂが、ランプカバー５０の係止壁部５４に引っ掛からない状態となって、筐体１０に対するランプカバー５０の固定が解除される。そして、棒差込孔５２Ａに差し込んだ棒６０を上方に持ち上げることにより、ランプカバー５０を上方に移動させて、筐体１０からランプカバー５０が取り外される。
【００５２】
図１２を参照して、筐体１０にランプカバー５０を取り付けるときの係止部４０Ａ，４０Ｂと係止壁部５４の動作を説明する。
図１２（ａ）に示すように、ランプカバー５０が筐体１０の開口部１０Ｂ（図１１（ａ）参照）を閉鎖するとき、係止部４０Ａ，４０Ｂの先端面４３Ａ，４３Ｂは、ランプカバー５０が筐体１０に対して動作する方向である下方に対して傾斜した状態で、係止壁部５４の対向壁部５５Ｃと上下方向において対向する。
【００５３】
図１２（ｂ）に示すように、図１２（ａ）に示す状態からランプカバー５０を下方に移動させることにより、対向壁部５５Ｃが係止部４０Ａ，４０Ｂの先端面４３Ａ，４３Ｂを押して、係止部４０Ａ，４０Ｂの可撓部４１Ａ，４１Ｂを撓ませる。係止部４０Ａ，４０Ｂの鉤部４２Ａ，４２Ｂが互いに幅方向において離れるように移動する。
【００５４】
図１２（ｃ）に示すように、図１２（ｂ）に示す状態からランプカバー５０をさらに下方に移動させることにより、可撓部４１Ａ，４１Ｂの弾性によって鉤部４２Ａ，４２Ｂが移動して、係止壁部５４の貫通部５６Ａに、係止部４０Ａの鉤部４２Ａが差し込まれるとともに、係止壁部５４の貫通部５６Ｂに、係止部４０Ｂの鉤部４２Ｂが差し込まれる。こうして、係止部４０Ａ，４０Ｂは、貫通部５６Ａ，５６Ｂに引っ掛かって筐体１０（図１１参照）に対するランプカバー５０の移動を規制する。
【００５５】
図１３を参照して、筐体１０からランプカバー５０を取り外すときの係止部４０Ａ，４０Ｂと係止壁部５４の動作を説明する。
図１３（ａ）に示すように、ランプカバー５０の棒差込孔５２Ａに棒６０（図１１参照）が差し込まれていないとき、係止部４０Ａ，４０Ｂは、貫通部５６Ａ，５６Ｂに引っ掛かって筐体１０（図１１参照）に対するランプカバー５０の移動を規制する。即ち、係止部４０Ａ，４０Ｂの鉤部４２Ａ，４２Ｂが、貫通部５６Ａ，５６Ｂに引っ掛からない位置にある。
【００５６】
図１３（ｂ）に示すように、棒差込孔５２Ａに棒６０を差し込んで、棒６０を差込方向Ｔに移動させることにより、係止壁部５４の内部空間５４Ａに棒６０が入り込んでくる。このとき、係止部４０Ａ，４０Ｂの先端面４３Ａ，４３Ｂは、差込方向Ｔに対して傾斜した状態で棒６０と対向する。棒６０を差込方向Ｔに移動させると、可撓部４１Ａ，４１Ｂ（図１２（ｂ）参照）が撓んで、係止部４０Ａ，４０Ｂの鉤部４２Ａ，４２Ｂが互いに幅方向において離れるように移動する。
【００５７】
図１３（ｃ）に示すように、図１３（ｂ）に示す状態から棒６０をさらに差込方向Ｔに移動させることにより、鉤部４２Ａ，４２Ｂが貫通部５６Ａ，５６Ｂに引っ掛からない位置に移動する。即ち、係止部４０Ａ，４０Ｂは、棒６０に押されることにより貫通部５６Ａ，５６Ｂに引っ掛からない位置に移動して、筐体１０（図１１参照）に対するランプカバー５０の移動を許容する。このときに、棒６０を筐体１０の上方に持ち上げることにより、筐体１０からランプカバー５０を取り外すことができる。
【００５８】
本実施形態のプロジェクタ１は以下の効果を奏する。
（１）ランプカバー５０には、所定の差込方向Ｔに棒６０が差し込まれる棒差込孔５２Ａと、棒差込孔５２Ａに棒６０が差し込まれたときに差込方向Ｔに垂直な方向において棒６０と対向する対向壁部５５Ａ，５５Ｂと、対向壁部５５Ａ，５５Ｂを差込方向Ｔに垂直な方向に貫通する貫通部５６Ａ，５６Ｂとが設けられる。また、筐体１０には、ランプカバー５０により開口部１０Ｂが閉鎖された状態において貫通部５６Ａ，５６Ｂに引っ掛かる係止部４０Ａ，４０Ｂが設けられ、係止部４０Ａ，４０Ｂは、棒差込孔５２Ａに棒６０が差し込まれていないときに、貫通部５６Ａ，５６Ｂに引っ掛かって筐体１０に対するランプカバー５０の移動を規制する。さらに、係止部４０Ａ，４０Ｂは、棒差込孔５２Ａに棒６０が差し込まれたときに、棒差込孔５２Ａに差し込まれた棒に押されることにより貫通部５６Ａ，５６Ｂに引っ掛からない位置に移動して筐体１０に対するランプカバー５０の移動を許容する。このような構成によれば、筐体１０の係止部４０Ａ，４０Ｂがランプカバー５０の貫通部５６Ａ，５６Ｂに引っ掛かることにより、筐体１０に対するランプカバー５０の移動が規制されるため、ランプカバー５０を筐体１０にねじ止めする構造を設けずに、筐体１０にランプカバー５０を固定することができる。そして、ランプカバー５０の棒差込孔５２Ａに棒６０を差し込むことにより、係止部４０Ａ，４０Ｂが貫通部５６Ａ，５６Ｂに引っ掛からない位置に移動して、筐体１０に対するランプカバー５０の移動が許容される。従って、ランプカバー５０を筐体１０から取り外す作業者は、ランプカバー５０の棒差込孔５２Ａに棒を差し込んで、その棒を移動させることによりランプカバー５０を筐体１０から取り外すことができる。よって、ランプカバー５０を筐体１０から取り外すための構造を簡略化することができ、かつ、ランプカバー５０を筐体１０から容易に取り外すことが可能である。
【００５９】
（２）係止部４０Ａ，４０Ｂは、貫通部５６Ａ，５６Ｂに引っ掛かる鉤部４２Ａ，４２Ｂと、筐体１０と鉤部４２Ａ，４２Ｂとを接続する可撓部４１Ａ，４１Ｂとを有し、可撓部４１Ａ，４１Ｂが撓むことにより、鉤部４２Ａ，４２Ｂが、貫通部５６Ａ，５６Ｂに引っ掛かる位置から貫通部５６Ａ，５６Ｂに引っ掛からない位置に移動する。このような構成によれば、係止部４０Ａ，４０Ｂの可撓部４１Ａ，４１Ｂが撓むように係止部４０Ａ，４０Ｂを押すことにより、係止部４０Ａ，４０Ｂの鉤部４２Ａ，４２Ｂを、ランプカバー５０の貫通部５６Ａ，５６Ｂに引っ掛かる位置から貫通部５６Ａ，５６Ｂに引っ掛からない位置に移動させることができる。また、可撓部４１Ａ，４１Ｂの弾性により、鉤部４２Ａ，４２Ｂが、ランプカバー５０の貫通部５６Ａ，５６Ｂに引っ掛からない位置から貫通部５６Ａ，５６Ｂに引っ掛かる位置に移動する。
【００６０】
（３）係止部４０Ａ，４０Ｂは、鉤部４２Ａ，４２Ｂが貫通部５６Ａ，５６Ｂに引っ掛かった状態において棒差込孔５２Ａに棒６０が差し込まれたときに、棒差込孔５２Ａに差し込まれた棒６０により押される先端面４３Ａ，４３Ｂを有する。先端面４３Ａ，４３Ｂは、棒差込孔５２Ａに棒６０を差し込むときに、差込方向Ｔに対して傾斜した状態で棒６０と対向する。このような構成によれば、ランプカバー５０の棒差込孔５２Ａに棒６０を差し込むときに、係止部４０Ａ，４０Ｂの先端面４３Ａ，４３Ｂに沿って棒を移動させることができるため、係止部４０Ａ，４０Ｂの先端面４３Ａ，４３Ｂを棒６０で押して係止部４０Ａ，４０Ｂの可撓部４１Ａ，４１Ｂを徐々に撓ませることができる。
【００６１】
（４）対向壁部５５Ｃは、ランプカバー５０が開口部１０Ｂを閉鎖するときに、可撓部４１Ａ，４１Ｂが撓むように先端面４３Ａ，４３Ｂを押す。ランプカバー５０が開口部１０Ｂを閉鎖するときに、ランプカバー５０が筐体１０に対して動く方向を「カバー動作方向」としたとき、先端面４３Ａ，４３Ｂは、カバー動作方向に対して傾斜した状態で対向壁部５５Ｃと対向する。このような構成によれば、ランプカバー５０が筐体１０の開口部１０Ｂを閉鎖するときに、係止部４０Ａ，４０Ｂの先端面４３Ａ，４３Ｂに沿って対向壁部５５Ｃを移動させることができる。このため、係止部４０Ａ，４０Ｂの先端面４３Ａ，４３Ｂをランプカバー５０の対向壁部５５Ｃで押して係止部４０Ａ，４０Ｂの可撓部４１Ａ，４１Ｂを徐々に撓ませることができる。
【００６２】
（５）ランプカバー５０には、棒差込孔５２Ａに棒６０が差し込まれたときに差込方向Ｔに垂直な方向において棒６０を挟む第１対向壁部としての対向壁部５５Ａおよび第２対向壁部としての対向壁部５５Ｂが設けられている。さらに、ランプカバー５０には、対向壁部５５Ａを貫通する第１貫通部としての貫通部５６Ａと、対向壁部５５Ｂを貫通する第２貫通部としての貫通部５６Ｂとが設けられている。また、筐体１０には、貫通部５６Ａに引っ掛かる第１係止部としての係止部４０Ａと、貫通部５６Ｂに引っ掛かる第２係止部としての係止部４０Ｂとが設けられている。このような構成によれば、筐体１０の係止部４０Ａがランプカバー５０の貫通部５６Ａに引っ掛かるとともに、筐体１０の係止部４０Ｂがランプカバー５０の貫通部５６Ｂに引っ掛かることにより、筐体１０にランプカバー５０を強固に固定することができる。
【００６３】
なお、本発明は、上記実施形態に限られず、本発明の趣旨に基づいて種々の設計変更を行うことが可能であって、それらを本発明の範囲から除外するものではない。例えば、上記実施形態を以下のように変更してもよく、以下の変更を組み合わせて実施してもよい。
【００６４】
・上記実施形態の対向壁部５５Ａ，５５Ｂは、ランプカバー５０の裏方向に湾曲して突出する対向壁部５５Ｃにより接続されているが、対向壁部５５Ａ，５５Ｂが接続されていなくてもよい。また、上記実施形態においては、ランプカバー５０に対向壁部５５Ａ，５５Ｂが設けられているが、対向壁部５５Ａ，５５Ｂの一方を省略することもできる。
【００６５】
・上記実施形態の係止部４０Ａ，４０Ｂの形状を変更することもできる。また、上記実施形態の係止壁部５４の形状を変更することもできる。即ち、筐体１０及びランプカバー５０が有する形状を適宜変更してもよい。
【００６６】
・上記実施形態のプロジェクタ１において、筐体１０の開口部１０Ｂを閉鎖するカバー部材はランプカバー５０であるが、他のカバー部材に本発明を適用することもできる。例えば、筐体１０が液晶パネルを交換するための開口部（図示略）を有し、この開口部を閉鎖するカバー部材に本発明を適用することもできる。即ち、カバー部材はランプカバー５０に限定されない。
【００６７】
・上記実施形態の投写型映像表示装置は、液晶パネルを用いて映像を生成するプロジェクタ１であるが、他のプロジェクタに本発明を適用することもできる。例えば、投写型映像表示装置は、微小鏡を格子状に配列したＤＭＤ（Digital Micromirror Device）を用いて映像を生成するプロジェクタであってもよい。ＤＭＤを備えるビデオプロジェクタにおいては、光源からＤＭＤに入射した光が、ＤＭＤで反射されることによって映像が生成される。
【符号の説明】
【００６８】
１…プロジェクタ（投写型映像表示装置）、１０…筐体、１０Ａ，１０Ｂ…開口部、１１…前面部、１２…側面部、１３…上面部、２１…ランプ、２２…投射レンズ、３１…係止壁部、３２Ａ，３２Ｂ…支持片、４０Ａ，４０Ｂ…係止部、４１Ａ，４１Ｂ…可撓部、４２Ａ，４２Ｂ…鉤部、４３Ａ，４３Ｂ…先端面、５０…ランプカバー（カバー部材）、５１…カバー部、５２…棒差込部、５２Ａ…棒差込孔、５３…係止片、５４…係止壁部、５４Ａ…内部空間、５５Ａ，５５Ｂ，５５Ｃ…対向壁部、５６Ａ，５６Ｂ…貫通部、５７…深奥壁部、６０…棒、Ｔ…差込方向。
【図１】
2013134362.tif 000003
【図２】
2013134362.tif 000004
【図３】
2013134362.tif 000005
【図４】
2013134362.tif 000006
【図５】
2013134362.tif 000007
【図６】
2013134362.tif 000008
【図７】
2013134362.tif 000009
【図８】
2013134362.tif 000010
【図９】
2013134362.tif 000011
【図１０】
2013134362.tif 000012
【図１１】
2013134362.tif 000013
【図１２】
2013134362.tif 000014
【図１３】
2013134362.tif 000015